(57)【要約】      （修正有）【課題】大型構造物の表面処理の自動化する表面処理アセンブリの提供。【解決手段】輪郭形成された表面を処理するための表面処理アセンブリ６０は、少なくとも第１の輪郭形状及び第２の輪郭形状を有する調節可能な基部を含む。表面処理アセンブリは、調節可能な基部に連結されている複数のアプリケータヘッドを更に含む。更に、各アプリケータヘッドは、輪郭形成された表面４８に表面処理を適用するように構成される。更に、表面処理アセンブリ６０は、調節可能な基部に動作可能に連結されるアクチュエータを含み、アクチュエータは、第１の輪郭形状と第２の輪郭形状との間で調節可能な基部を操作するように構成される表面処理アセンブリ。【選択図】図２
2018086644.tif 000002
【特許請求の範囲】
【請求項１】
輪郭形成された表面を処理するための表面処理アセンブリであって、
少なくとも第１の輪郭形状及び第２の輪郭形状を有する調節可能な基部と、
前記調節可能な基部に連結された複数のアプリケータヘッドであって、前記輪郭形成された表面に表面処理を適用するように各々が構成されている複数のアプリケータヘッドと、
前記調節可能な基部に動作可能に連結され、前記第１の輪郭形状と前記第２の輪郭形状との間で前記調節可能な基部を操作するように構成されているアクチュエータと
を備える表面処理アセンブリ。
【請求項２】
前記アクチュエータが、前記調節可能な基部に動作可能に連結され、前記第１の輪郭形状と前記第２の輪郭形状との間で前記調節可能な基部を操作するように構成された一対のはさみアームを備える、請求項１に記載の表面処理アセンブリ。
【請求項３】
前記アクチュエータが、前記調節可能な基部に動作可能に連結され、前記第１の輪郭形状と前記第２の輪郭形状との間で前記調節可能な基部を操作するように構成された複数のリニアアクチュエータを備える、請求項１に記載の表面処理アセンブリ。
【請求項４】
前記調節可能な基部が複合材料を含む、請求項１に記載の表面処理アセンブリ。
【請求項５】
前記複合材料が、複合樹脂に分散した磁気材料を含み、前記アクチュエータが、前記第１の輪郭形状と前記第２の輪郭形状との間で前記磁気材料及び前記複合樹脂を操作するように構成された少なくとも１つの電磁石を備える、請求項４に記載の表面処理アセンブリ。
【請求項６】
前記輪郭形成された表面の既存の形状を検出し、輪郭データセットを生成するように構成されたセンサと、前記アクチュエータを操作して、前記輪郭データセットに基づき前記調節可能な基部を操作するように前記アクチュエータに通信可能に接続されたコントローラとを更に備える、請求項１に記載の表面処理アセンブリ。
【請求項７】
前記複数のアプリケータヘッドが、装飾層である前記表面処理を前記輪郭形成された表面に適用するように構成された複数のインクジェット印刷ヘッドを備える、請求項１に記載の表面処理アセンブリ。
【請求項８】
前記第１の輪郭形状が第１の半径を含み、前記第２の輪郭形状が第２の半径を含む、請求項１に記載の表面処理アセンブリ。
【請求項９】
輪郭形成された表面のターゲットエリアを処理する方法であって、
調節可能な基部の上に複数のアプリケータヘッドを設けることであって、各アプリケータヘッドが前記郭形成された表面に表面処理を適用するように構成されている、設けることと、
前記輪郭形成された表面の既存の形状を決定することと、
前記輪郭形成された表面の決定された前記既存の形状に基づき、アクチュエータで所望の輪郭形状に前記調節可能な基部を操作し、これにより前記アプリケータヘッドを前記ターゲットエリアに隣接して位置付けることと、
前記輪郭形成された表面の前記ターゲットエリアに前記表面処理を適用するために、前記複数のアプリケータヘッドを選択的に操作することと
を含む方法。
【請求項１０】
前記輪郭形成された表面の前記既存の形状を決定することが、前記輪郭形成された表面をセンサで走査することを含む、請求項９に記載の方法。
【請求項１１】
飛行機の外面を処理するための表面処理システムであって、
少なくとも第１の半径及び第２の半径を有する調節可能な基部と、
前記調節可能な基部に連結された複数のアプリケータヘッドであって、前記飛行機の前記外面に表面処理を適用するように各々が構成されている複数のアプリケータヘッドと、
前記調節可能な基部に動作可能に連結され、少なくとも前記第１の半径と前記第２の半径との間で前記調節可能な基部を操作するように構成されたアクチュエータと、
前記アクチュエータに通信可能に接続されたコントローラであって、
前記アクチュエータを操作して、前記調節可能な基部を前記第１の半径又は前記第２の半径に対して操作し、前記複数のアプリケータヘッドを選択的に操作し、前記飛行機の前記外面に表面処理を適用するようにプログラムされたコントローラと
を備える表面処理システム。
【請求項１２】
前記アクチュエータが、前記調節可能な基部に動作可能に連結され、少なくとも前記第１の半径と前記第２の半径との間で前記調節可能な基部を操作するように構成された一対のはさみアームを備える、請求項１１に記載の表面処理システム。
【請求項１３】
前記アクチュエータが、前記調節可能な基部に動作可能に連結され、少なくとも前記第１の半径と前記第２の半径との間で前記調節可能な基部を操作するように構成された複数のリニアアクチュエータを備える、請求項１１に記載の表面処理システム。
【請求項１４】
前記調節可能な基部が複合材料を含む、請求項１１に記載の表面処理システム。
【請求項１５】
前記飛行機の前記外面の既存の形状を検出し、輪郭データセットを生成するように構成されたセンサを更に備え、前記コントローラが、前記アクチュエータを操作して、前記輪郭データセットに基づき、前記調節可能な基部を操作する、請求項１１に記載の表面処理システム。
【請求項１６】
前記複数のアプリケータヘッドが、装飾層である前記表面処理を前記外面に適用するように構成された複数のインクジェット印刷ヘッドを備える、請求項１１に記載の表面処理システム。
【発明の詳細な説明】
【技術分野】
【０００１】
本開示は、一般に、自動表面処理システム及び方法に関し、より具体的には、輪郭形成された表面に対する自動表面処理システム及び方法に関する。
【背景技術】
【０００２】
民間航空機などの機械の構造表面を処理及びコーティングするプロセスは、長く、費用がかかる。表面処理は、様々な大型の輪郭形成された表面を含む構造表面のコーティングを必要とすることが多い。更に、構造表面をコーティングすることは、装飾塗装を適用するだけではなく、エンジニアリング特性に対する多層コーティングを適用することを含む。装飾塗装は、一連のマスキング作業、更にその後、必要とされる場合には着色された塗料又はコーティングの適用を要する複雑なプロセスを使用して適用される。これらのマスキング作業及び塗装作業は、外面処理が完了するまで、連続的に繰り返される。したがって、様々な輪郭形成された表面を有する大きなエリアでのこれらのプロセスは、かなりの量の時間と資源を必要とする。
【発明の概要】
【０００３】
本開示の１つの態様によれば、輪郭形成された表面を処理するための表面処理アセンブリが開示される。表面処理アセンブリは、少なくとも第１の輪郭形状及び第２の輪郭形状を有する調節可能な基部を含む。表面処理アセンブリは、調節可能な基部に連結されている複数のアプリケータヘッドを更に含む。更に、各アプリケータヘッドは、輪郭形成された表面に表面処理を適用するように構成される。更に、表面処理アセンブリは、調節可能な基部に動作可能に連結されるアクチュエータを含み、アクチュエータは、第１の輪郭形状と第２の輪郭形状との間で調節可能な基部を操作するように構成される。
【０００４】
本開示の別の態様によれば、輪郭形成された表面のターゲットエリアを処理するための方法が開示される。輪郭形成された表面のターゲットエリアを処理する方法は、調節可能な基部の上に複数のアプリケータヘッドを設けることであって、各アプリケータヘッドが郭形成された表面に表面処理を適用するように構成されている、設けることを含む。輪郭形成された表面のターゲットエリアを処理する方法は、輪郭形成された表面の既存の形状を決定することと、輪郭形成された表面の決定された既存の形状に基づき、アクチュエータで所望の輪郭形状に調節可能な基部を操作し、これにより、輪郭形成された表面の形状にしたがって、アプリケータヘッドをターゲットエリアに隣接して位置付けることとを更に含む。加えて、輪郭形成された表面のターゲットエリアを処理する方法は、輪郭形成された表面のターゲットエリアに表面処理を適用するために、複数のアプリケータヘッドを選択的に操作することを含む。
【０００５】
本開示の更に別の態様によれば、飛行機の外面を処理するための表面処理システムが開示される。表面処理システムは、少なくとも第１の半径及び第２の半径を有する調節可能な基部を含む。表面処理システムは、調節可能な基部に連結された複数のアプリケータヘッドであって、飛行機の外面に表面処理を適用するように各々が構成されているアプリケータヘッドを更に含む。更に、アクチュエータは、調節可能な基部に動作可能に連結され、少なくとも第１の半径と第２の半径との間で調節可能な基部を操作するように構成されている。加えて、表面処理システムは、アクチュエータに通信可能に接続されているコントローラを含み、コントローラは、アクチュエータを操作して、調節可能な基部を第１の半径又は第２の半径に対して操作し、複数のアプリケータヘッドを選択的に操作し、飛行機の外面に表面処理を適用するようにプログラムされている。
【０００６】
本明細書で開示される特徴、機能、及び利点は、様々な実施形態において独立して達成できるか、又は更なる詳細が以下の説明及び図面を参照してよりよく理解され得る更に他の実施形態において組み合わされ得る。
【図面の簡単な説明】
【０００７】
【図１】本開示により構成された例示的ビークルの透視図である。
【図２】本開示による、例示的な輪郭形成された表面及び表面処理アセンブリの透視図である。
【図３】本開示による例示的な表面処理アセンブリの透視図である。
【図４】本開示による表面処理アセンブリの別の実施形態の側面図である。
【図５】本開示による表面処理アセンブリの追加の実施形態の別の側面図である。
【図６】本開示による表面処理アセンブリの追加の実施形態の別の側面図である。
【図７】本開示による例示的な制御及び通信システムの概略図である。
【図８】本開示による輪郭形成された表面を処理する例示的方法を示すフローチャートである。
【発明を実施するための形態】
【０００８】
図面は、必ずしも縮尺通りではなく、開示された実施形態は図式的に、概略的に、場合によっては部分的に示されていることを理解すべきである。場合によっては、開示されている方法及び装置の理解には必要のない詳細事項や、理解することが困難なその他の細部を示す詳細事項については省略されることがある。以下の詳細な説明は単なる例示であって、その用途又は使用を限定するものではないことを更に理解すべきである。したがって、本開示は、例示的な実施形態でのみ図示及び記載された説明の便宜を目的とするものであるが、多数の他の実施形態において、及び本明細書に図示又は記載されていない様々なシステム及び環境内で実施され得る。
【０００９】
以下の詳細な説明は、本開示を実施するための方法及びデバイスの両方を提供することを意図している。開示の実際の範囲は、添付の特許請求の範囲によって規定されるとおりである。
【００１０】
図１を参照すると、ビークル２０が示されている。ビークル２０の１つの非限定的例は航空機であるが、本開示は、他の種類のビークル及び機械にも適用される。図示されるように、ビークル２０は、胴体２４、翼２６、及び尾部２８を含む機体２６で構成される。幾つかの実施形態では、一又は複数の推進ユニット３０は、ビークル２０を進行方向に推進するために、各翼２６に連結される。更に、翼２６は、胴体２４に固定して取り付けられ、推進ユニット３０は、翼２６の下面に取り付けられるが、推進ユニット３０の他の取付位置も可能である。幾つかの実施形態では、翼２６は、胴体２４に沿って実質的に中心位置に位置付けられ、翼２６は、複数のフラップ３２、前縁デバイス３４、及び周縁デバイス３６（即ち、ウィングレット）を含むように構成される。更に、ビークル２０の動作中に、フラップ３２、前縁デバイス３４及び周縁デバイス３６は、ビークル２０を制御及び安定させるために、複数の位置で調節可能である。例えば、フラップ３２及び前縁デバイス３４は、翼２６の所望のリフト特性を生成するために幾つかの異なる位置で調節可能である。加えて、機体２２の尾部２８は、エレベータ３８、方向舵４０、垂直安定板フィン４２、及び水平安定板４４などのビークル２０の他の安定機能及び操縦機能を提供する構成要素を含む。
【００１１】
図２は、尾部２８が取り付けられた状態の胴体２４の１つの非限定的な例を示す。概して、ビークル２０の胴体２４及び他の構成要素は、アルミニウム、アルミニウム合金、チタン、炭素複合体、又は他の既知の材料から構成される。更に、胴体２４は、ビークル２０の管状構造を形成する。幾つかの実施形態では、ノーズ部分４６は、胴体２４の前部として設計され、尾部２８は、胴体２４の後部として設計されている。加えて、胴体２４は、ノーズ部分４６と尾部２８との間の胴体２４の長さに沿って変化する寸法及びトポグラフィーを示す管状構造である。結果として、胴体２４は、輪郭形成された外形又は表面４８を有すると記載されることが多い。１つの実施形態では、輪郭形成された表面４８は、胴体２４及び他のビークル２０の構成要素の一連の変化する表面寸法によって形成された種々の表面外形を含む。例えば、胴体２４に沿ってノーズ４６から尾部２８まで輪郭形成された表面４８を移動させることにより、例えば限定されないが、直径の増減、凸面、凹面、又はそのような表面幾何学形状及び外形若しくはこれらの組み合わせなどの、幾何学形状及び外形の変化が表れる。
【００１２】
ビークル２０製造及び／又は点検中に、胴体２４、及び他のビークル構成要素は、作業エリア５０内に位置付けられ、一又は複数の製造及び／又は予定された点検ステップに備えられる。幾つかの実施形態では、ビークル２０の製造及び／又は点検は、胴体２４、翼２６、尾部２８、又はビークルの他の部分に沿って輪郭形成された表面４８に表面処理を適用することを含む。一般に、輪郭形成された表面４８の表面処理は、輪郭形成された表面４８の洗浄、研磨、下塗り、塗装、保護、修理、又は他の既知の表面処理のうちの一又は複数を含む。更に、表面処理の１つの非限定的例は、装飾塗装コーティングを含み、このコーティングは、ビークル２０が直面するひどい環境条件からの表面を保護するだけでなく、胴体２４での装飾設計を形成し、１つのビークル２０を別のビークルとから識別及び区別する助けとなる。
【００１３】
図２に更に示されるように、胴体２４は、ビークル２０への翼２６及び他の構成要素の取り付け又はそうでなければ連結前に、胴体２４を作業エリア５０内に位置付けることによって表面処理に備えられる。しかしながら、これらに限定されないが、ビークル２０の点検又は保守中などの代替的実施形態において、翼２６、尾部２８及びビークル２０に既に取り付けられている他の構成要素に表面処理が可能である。表面処理の開始に先立ち、胴体２４は、複数の自動案内されたビークル５２（ＡＧＶ）により作業エリア５０に運ばれる。ＡＧＶは、十分な支持を提供するために胴体２４の下面に沿って位置付けられ、胴体２４を適所に移動させるように構成される。図２は４つのＡＧＶ５２の使用を示しているが、他の数（即ち、それ以下又はそれ以上）のＡＧＶ５２も確かに可能である。
【００１４】
ＡＧＶ５２が胴体を作業エリア５０内に移動させた後に、表面処理中に支持を提供するために、一又は複数の構造が胴体２４の下面に沿って位置付けられる。幾つかの実施形態では、ノーズ支持構造５４は、胴体２４のノーズ部分４６の下面に位置付けられ、中心支持構造５６は、胴体２４の中心部分の下に位置付けられる。加えて、ノーズ支持構造５４及び中心支持構造５６が図２に示されているが、一又は複数の追加の支持構造を、支持を必要とする胴体２４に沿って他の場所、例えば限定されないが、尾部２８の下などに載置することができる。
【００１５】
１つの非限定的実施形態では、ノーズ構造５４及び中心支持構造５６は、一組の支持構造レール５８によってスライド可能に支持され、支持構造レール５８に沿ってスライドし、胴体２４の下に位置付けられて、胴体２４又はビークル２０の他の構成要素が適切に支持されることを確実にする。更に、ノーズ構造５４及び中心支持構造５６は、ＡＧＶ５２に干渉せずに、支持構造レール５８に沿って移動できるように構成される。その結果、ＡＧＶ５２は、表面処理中に、ノーズ支持体５４及び中心支持構造５６と共に使用可能となり、胴体２４又はビークル２０の他の構成要素を支持する。図２は、胴体２４及びビークル２０の他の構成要素を運搬及び支持するためのＡＧＶ５２、ノーズ構造５４及び中心支持構造５６を図示しているが、当業者には、胴体２４及びビークル２０の他の構成要素の位置付け、支持及び運搬の他の方法が可能であることが明らかだろう。
【００１６】
図２に更に示されるように、作業エリア５０には、ビークル２０の輪郭形成された表面４８を処理するように構成されている表面処理アセンブリ６０が装備されている。幾つかの実施形態では、表面処理アセンブリ６０は、作業エリア５０内で表面処理アセンブリ６０を支持し移動させるように構成されているガントリ６２に取り付けられている。１つの非限定的例において、ガントリ６２は、表面処理中に胴体２４又はビークル２０の他の構成要素を収容する作業エリア５０の長さＬ−Ｌを進行する高架構造に取り付けられる。ガントリ６２は、表面処理アセンブリ６０がビークル２０の輪郭形成された表面４８を処理する際に、作業エリア５０の長さＬ−Ｌに沿って表面処理アセンブリ６０を移動させるように構成される。
【００１７】
代替的には、ガントリ６２を使用する代わりに、表面処理アセンブリ６０は、胴体を作業エリア５０から出し入れするために使用されるＡＧＶに類似した、表面処理ＡＧＶ６４に装着される。表面処理ＡＧＶ６４は、表面処理アセンブリ６０がビークル２０の輪郭形成された表面４８を処理する際に、作業エリア５０の長さＬ−Ｌに沿って移動するように構成される。１つの実施形態では、表面処理ＡＧＶ６４は、胴体２４に沿って横方向に位置付けられ、作業エリア５０の長さＬ−Ｌに沿って進行するように構成されている、一組のＡＧＶレール６５に連結される。更に、幾つかの実施形態は、胴体２４がＡＧＶレール６５の間に位置付けられ、実質的にそれらの間の中心に存在可能となるように、作業エリア５０内で間隔を空けて配置される二組のＡＧＶレール６５を含む。その結果、一又は複数の表面処理アセンブリ６０は、輪郭形成された表面４８の表面処理中に胴体２４の各側面に位置付け可能となる。代替的実施形態では、表面処理ＡＧＶ６４は、ＡＧＶレール６５に装着する必要のない一組の車輪又は他の地面係合要素で構成され、表面処理アセンブリ６０がビークル２０の輪郭形成された表面４８を処理する間に、作業エリア５０のフロアに沿って走行する。
【００１８】
ここで図３を参照すると、表面処理アセンブリ６０の１つの例が示される。表面処理アセンブリ６０は、調節可能な基部６６、複数の表面処理アプリケータヘッド６８、及び表面処理アセンブリ６０の調節可能な基部６６に連結された少なくとも１つの作動デバイス７０を含む。少なくとも１つの作動デバイス７０は、ビークル２０の胴体２４の輪郭形成された表面４８又は他の構成要素に沿って対面した、種々の表面幾何学形状（即ち、半径が増減したり、表面に凹凸があったりする形状）に一致し追従するために、表面処理アセンブリ６０の調節可能な基部６６を適合させるように構成される。更に、例示的構成では、調節可能な基部６６が、複数の表面処理アプリケータヘッド６８を表面処理アセンブリ６０に取り付けるための装着スペース７２を画定する２つのフレキシブルな支持ストリップ７１を含むように示されている。その結果、調節可能な基部６６、複数の表面処理アプリケータヘッド６８、及び少なくとも１つの作動デバイス７０を含む表面処理アセンブリ６０は、輪郭形成された表面４８に沿って対面した複雑な幾何学形状に対して汎用性と弾力性のある応答が可能になるように構成される。
【００１９】
加えて、表面処理アプリケータヘッド６８は、フレキシブルな支持ストリップ７１に取り付けられ、装着スペース７２内に配置され、表面処理アプリケータヘッド６８がアプリケータヘッドアレイ７４を形成する。１つの非限定的例では、表面処理アプリケータヘッド６８は、千鳥状の形態で配置され、表面処理アプリケータヘッド６８の各々が、独立して制御可能に構成される。更に、アプリケータヘッドアレイ７４の表面処理アプリケータヘッド６８の千鳥状の配置により、表面処理アセンブリ６０が、輪郭形成された表面４８の様々な表面幾何学形状にしたがって、表面処理アプリケータヘッド６８の配向に対してリアルタイムの調節を行うことが可能になる。加えて、アプリケータヘッドアレイ７４の千鳥状の構成は、表面処理アプリケータヘッド６８の重なり及び／又は冗長性を提供し、これにより表面処理アセンブリ６０は、輪郭形成された表面４８全域に均一のコーティングを提供し、胴体２４の半径及び外径の変化、及び／又はそのような状況を考慮することが可能になる。
【００２０】
上記のように、調節可能な基部６６及びフレキシブルな支持ストリップ７１は、少なくとも１つの作動デバイス７０とともに作動し、輪郭形成された表面４８の可変幾何学形状にしたがって表面処理アセンブリ６０を調節し及び／又は適合させるように構成される。その結果、実施形態において、調節可能な基部６６及びフレキシブルな支持ストリップ７１は、炭素繊維、ガラス繊維、又は類似の材料を含むフレキシブルな複合材料から形成される。更に、作動デバイス７０は、輪郭形成された表面４８の様々な幾何学形状及び寸法に従って、調節可能な基部６６及びフレキシブルな支持ストリップ７１を調節するように構成される。
【００２１】
図３に更に示されるように、少なくとも１つの作動デバイス７０の１つの非限定的例は、調節可能な基部６６に連結されたはさみ型の機械アクチュエータ、及び表面処理アセンブリ６０のフレキシブルな支持ストリップ７１を含む。表面処理アセンブリ６０が輪郭形成された表面４８に沿って移動する際に、ハサミ型の作動デバイス７０は、調節可能な基部６６及びフレキシブルな支持ストリップ７１を作動させ、半径を変化させ（即ち、増加又は減少させ）、及び／又は調節可能な基部６６及びフレキシブルな支持ストリップ７１の他の寸法を調節する。調節可能な基部６６及びフレキシブルな支持ストリップ７１のそのような作動及び調節により、表面処理アセンブリ６０は、輪郭形成された表面４８の複雑なトポグラフィーに追従可能となる。その結果、表面処理アプリケータヘッド６８は、調節可能な基部６６及びフレキシブルな支持ストリップ７１の作動に従って位置付け及び配向され、胴体２４の輪郭形成された表面４８に対して適切に位置付けられる（即ち、垂直に／直交して位置付けられる）ことが保証される。
【００２２】
ここで図４を参照すると、代替的な調節可能な基部、代替的なフレキシブルな支持ストリップ及び／又は代替的な作動デバイスを使用する表面処理アセンブリ６０の代替的な実施形態が示されている。例えば、表面処理アセンブリ６０は、例えば限定されないが、炭素繊維、ガラス繊維、又はニッケル−チタン合金（例えば、ニチノール）のような変形可能な金属合金、又は他のこのような変形可能な合金と組み合わされた他のこのような材料などの複合材料から成る複数の複合フレキシブル支持ストリップ７８を含む、複合調節可能基部７６を含む。表面処理アセンブリ６０は、アプリケータヘッドアレイ７４内に配置された複数の表面処理アプリケータヘッド６８と、表面処理アセンブリ６０の複合調節可能基部７６及び複合フレキシブル支持ストリップ７８に連結された少なくとも１つの複合作動デバイス８０とを更に含む。
【００２３】
幾つかの実施形態では、複合調節可能基部７６及び複合フレキシブル支持ストリップ７８に含まれる変形可能な金属合金（即ち、ニッケル−チタン合金）は、スマート金属であるか、その形状を変えることができる形状記憶合金である。例えば、ニッケル−チタン合金の温度が特定の変形温度で制御されるとき、複合調節可能基部７６は変形し、輪郭形成された表面４８、又は他のそのような所望の形状に一致する。更に、ニッケル−チタン合金は、別の特定の温度で合金温度を制御すると、元の変形していない形状に回復可能である。
【００２４】
したがって、実施形態において、少なくとも１つの複合作動デバイス８０は、温度調節デバイスとして構成され、複合作動デバイス８０は、複合調節可能基部７６及び複合フレキシブル支持ストリップ７８に連結される。更に、複合作動デバイス８０は、ニッケル−チタン合金の温度を上昇又は下降させるために、コントローラ９６（図７）によって制御される。結果として、複合調節可能基部７６及び複合フレキシブル支持ストリップ７８は、ビークル２０の輪郭形成された表面４８の輪郭に追従するように、表面処理アセンブリ６０を適合及び／又は変形させる。更に、複合調節可能基部７６及び複合フレキシブル支持ストリップ７８は、表面処理アセンブリ６０に調節性能及びフレキシビリティ性能を提供し、これにより、表面処理アセンブリ６０が、ビークル２０の胴体２４の輪郭形成された表面４８又は他の構成要素に沿って対面した、トポグラフィー及び種々の表面幾何学形状（即ち、半径が増減したり、表面に凹凸があったりする形状）に一致し追従できるようになる。
【００２５】
図５を参照すると、表面処理アセンブリ６０の追加の実施形態が示される。表面処理アセンブリ６０は、調節可能な基部６６と、２つ以上のフレキシブルな支持ストリップ７１と、アプリケータヘッドアレイ７４を形成するように構成されている複数の表面処理アプリケータヘッド６８と、表面処理アセンブリ６０の調節可能な基部６６及びフレキシブルな支持ストリップ７１に連結された少なくとも１つのリニア作動デバイス８２とを含む。幾つかの実施形態では、調節可能な基部６６及びフレキシブルな支持ストリップ７１は、炭素繊維、ガラス繊維、又は類似の材料を含むフレキシブルな複合材料から形成される。更に、調節可能な基部６６及びフレキシブルな支持ストリップ７１は、少なくとも１つのリニア作動デバイス８２とともに作動し、輪郭形成された表面４８の可変幾何学形状にしたがって調節可能な基部６６及びフレキシブルな支持ストリップ７１を調節し及び／又は適合させるように構成される。
【００２６】
１つの非限定的例では、少なくとも１つのリニア作動デバイス８２は、調節可能な基部６６及びフレキシブルな支持ストリップ７１と直接接触するように位置付けられる。また、リニア作動デバイス８２は、輪郭形成された表面４８の様々な幾何学形状及び寸法に従って、調節可能な基部６６及びフレキシブルな支持ストリップ７１を作動させるようにコントローラ９６（図７）によって制御される。例えば、表面処理アセンブリ６０が輪郭形成された表面４８に沿って移動する際に、少なくとも１つのリニア作動デバイス８２は、調節可能な基部６６及びフレキシブルな支持ストリップ７１の輪郭を調節するために延びる及び／又は縮む。幾つかの実施形態では、少なくとも１つのリニア作動デバイス８２は、半径を変え（即ち、増加又は減少させ）、及び／又は調節可能な基部６６及びフレキシブルな支持ストリップ７１の他の寸法を調節し、表面処理アセンブリ６０が輪郭形成された表面４８のトポグラフィーに追従することが保証される。その結果、表面処理アプリケータヘッド６８は、調節可能な基部６６及びフレキシブルなストリップ７１の輪郭に従って位置付け及び配向され、胴体２４の輪郭形成された表面４８に対して適切に位置付けられる（即ち、垂直に／直交して位置付けられる）ことが保証される。
【００２７】
図６は、代替的な調節可能な基部、代替的なフレキシブルな支持ストリップ及び／又は代替的な作動デバイスを使用する表面処理アセンブリ６０の追加の実施形態が示されている。図６の実施形態では、表面処理アセンブリ６０は、２つ以上の磁気フレキシブル支持ストリップ８６を含む、磁気複合調節可能基部８４を含む。磁気複合調節可能基部８４及び磁気フレキシブル支持ストリップ８６は、炭素繊維、ガラス繊維、又は他のそのような材料、及び複合材料内に分散した磁気材料を含む複合材料から成る。表面処理アセンブリ６０は、アプリケータヘッドアレイ７４内に配置された複数の表面処理アプリケータヘッド６８と、表面処理アセンブリ６０の磁気複合調節可能基部８４及び磁気フレキシブル支持ストリップ８６を作動させるように構成された少なくとも１つの磁気作動デバイス８８とを更に含む。
【００２８】
１つの非限定的例では、少なくとも１つの磁気作動デバイス８８は、胴体２４の輪郭形成された表面４８に沿って配置された電磁石である。更に、少なくとも１つの磁気作動デバイス８８は、磁気作動デバイス８８が、表面処理アセンブリ６０の磁気複合調節可能基部８４及び磁気フレキシブル支持ストリップ８６と相互作用するように配置される。少なくとも１つの磁気作動デバイス８８は、一又は複数の磁気作動デバイス８８の電磁石によって生成される磁場を調節するために、コントローラ９６（図７）によって制御される。結果として、磁気複合調節可能基部８４及び磁気複合フレキシブル支持ストリップ８６は、ビークル２０の輪郭形成された表面４８の輪郭に追従するように、表面処理アセンブリ６０を適合及び／又は変形させる。したがって、磁気複合調節可能基部８４及び磁気複合フレキシブル支持ストリップ８６は、表面処理アセンブリ６０に調節性能及びフレキシビリティ性能を提供し、これにより、表面処理アセンブリ６０が、ビークル２０の胴体２４の輪郭形成された表面４８又は他の構成要素に沿って対面した、複雑なトポグラフィー及び種々の表面幾何学形状（即ち、半径が増減したり、表面に凹凸があったりする形状）に一致し追従できるようになる。
【００２９】
引き続き図２と共に図３を参照すると、表面処理アセンブリ６０のアプリケータヘッドアレイ７４は、複数の表面処理アプリケータヘッド６８から成る。幾つかの実施形態では、複数の表面処理アプリケータヘッド６８は、複数のインクジェットノズル又はその他の、例えば、ビークル２０の胴体２４の輪郭形成された表面４８又は他の構成要素における表面コーティング（即ち、インク、下塗り、塗装、クリアコート）を拡散するように構成されている流体拡散デバイスなどである。更に、幾つかの実施形態では、調節可能な基部６６及びフレキシブルな支持ストリップ７１を補完するために、アプリケータヘッドアレイ７４はまた、輪郭形成された表面４８の変化する幾何学形状を考慮する調節性能を含む。１つの非限定的例では、複数の表面処理アプリケータヘッド６８は、胴体２４の輪郭形成された表面４８の変化する寸法及び複雑なトポグラフィーに従って、独立して調節可能である。
【００３０】
例えば、アプリケータヘッドアレイ７４及び複数の表面処理アプリケータヘッド６８は、アプリケータヘッドアレイ７４の複数の表面処理アプリケータヘッド６８と胴体２４の輪郭形成された表面４８との間に特定の間隙を維持するために、独立して制御可能及び調節可能である。加えて、表面処理アプリケータヘッド６８の各々は、複数の表面処理アプリケータヘッド６８と胴体２４の輪郭形成された表面４８、又はビークル２０の他の構成要素との間で垂直な又は直交する配向を維持するために、継続的にモニタリングされ調節される。従って、個々の制御性能及び調節性能を提供するために、アプリケータヘッドアレイ７４及び複数の表面処理アプリケータヘッド６８の幾つかの実施形態は、表面処理アセンブリ６０の周囲に取り付けられ位置付けられた少なくとも１つの処理アセンブリセンサ９０を含む。少なくとも１つの表面処理アセンブリセンサ９０は、アプリケータヘッドアレイ７４、及び表面処理アプリケータヘッド６８のうちの少なくとも１つの周囲に配置される。更に、表面処理アセンブリセンサ９０の各々は、輪郭形成された表面４８及び周囲エリアの表面トポグラフィーを走査し収集するように構成される。表面処理アセンブリセンサ９０は、メトロロジー及び他の表面外形データ、例えば限定しないが、表面画像データ、場所／位置データ、高感度データ、角度配向データ、並びに表面処理アセンブリ６０の制御及び調節に関する任意のその他のデータなどを収集するように構成される。更に、幾つかの実施形態では、表面処理アセンブリセンサ９０は、コントローラ９６（図７）に通信可能に接続され、コントローラ９６は、表面処理アセンブリセンサ９０の各々によって収集されるデータを受信する。
【００３１】
引き続き図３を参照しつつ図２に戻ると、表面処理アセンブリ６０は、ビークル２０の胴体２４の輪郭形成された表面４８又は他の構成要素に表面処理層９２を適用する。１つの実施形態では、アプリケータヘッドアレイ７４の複数の表面処理アプリケータヘッド６８は、輪郭形成された表面４８に表面処理層９２を適用する。表面処理アセンブリ６０は、尾部２８から胴体２４のノーズ部分４６まで、ガントリ６２、表面処理ＡＧＶ６４、又は他のそのようなデバイスによって、輪郭形成された表面に沿って移動させられる。代替的には、表面処理アセンブリ６０は、ガントリ６２、表面処理ＡＧＶ６４、又は他のそのようなデバイスによって、胴体２４に沿った中間的な場所に位置付けられ、アプリケータヘッドアレイ７４の複数の表面処理アプリケータヘッド６８は、胴体２４の輪郭形成された表面４８の少なくとも一部に表面処理層９２を適用する。
【００３２】
表面処理アセンブリ６０は、単独又は組み合わせて表面処理層９２を構成する複数のコーティングを適用するように構成可能である。例えば、表面処理アセンブリ６０は、複数の表面コーティング、例えば限定しないが、表面保護層、接着促進層、下塗り層、ベースコート層、トップコート層、クリアコート層、装飾塗装コーティング、又は他の既知のコーティングなどを適用可能である。更に、表面処理アセンブリ６０は、表面処理アセンブリ６０が胴体２４の輪郭形成された表面４８に沿って移動する際に、表面処理層９２を輪郭形成された表面４８にシングルパスで射出、噴霧、又は適用するように構成される。加えて、表面処理アセンブリ６０の作動及び調節により、輪郭形成された表面４８に沿って対面した複雑な幾何学形状及び輪郭に対して汎用性と弾力性のある応答が可能になる。幾つかの実施形態では、表面処理アセンブリ６０によって提供された調節性能は、輪郭形成された表面４８を処理するために必要とされる時間量を短縮するだけではなく、表面処理層９２の適用の精度を向上させる。
【００３３】
幾つかの実施形態では、表面処理層９２は、単一の表面コーティングから成り、輪郭形成された表面４８に沿ってシングルパスで分散させる。しかしながら、必要であれば、輪郭形成された表面４８に沿って表面処理層９２を適用するために、回数を追加してパスが行われる。１つの非限定的例では、表面処理アセンブリ６０は、表面処理層９２を形成するために組み合わせた複数のコーティングを適用するように構成される。表面処理アセンブリ６０は、胴体の輪郭形成された表面４８に沿って一度に１つのコーティングを分散させる。その結果、表面処理アセンブリ６０は、表面処理層９２を含む複数のコーティングの各々を分散させるために、一又は複数のパスを行う。代替的には、２以上の表面処理アセンブリ６０は、２以上の表面処理アセンブリ６０の各々が、表面処理層９２を含む複数のコーティングを分散させるために、胴体２４の輪郭形成された表面４８に沿って移動する際に、単一のコーティングを各々が適用するように構成される。
【００３４】
図２から図６までを引き続き参照するが、図７は、表面処理アセンブリ６０を動作及びモニタリングするように構成されている制御及び通信システム９４の概略を示している。制御及び通信システム９４は、コントローラ９６と、コントローラ９６に通信可能に接続されている入出力端子９８から成る。更に、コントローラ９６は、アプリケータヘッドアレイ７４及び複数の表面処理アプリケータヘッド６８の移動及び調節を制御するだけではなく、表面処理アセンブリ６０の移動を制御するようにプログラムされる。幾つかの実施形態では、コントローラ９６及び入出力端子９８は、作業エリア５０から離れて位置する。その結果、コントローラ９６、入出力端子９８及び表面処理アセンブリ６０の間の通信は、無線周波数ネットワーク、コンピュータデータネットワーク、Ｗｉ−Ｆｉデータネットワーク、携帯電話データネットワーク、衛星データネットワーク、又は任意の他の既知のデータ通信ネットワークを使用して確立される。代替的には、コントローラ９６及び入出力端子９８は、作業エリア５０で近位に位置し、かつ表面処理アセンブリ６０に隣接した位置にセットアップされるように構成される。近位に位置する構成では、コントローラ９６及び入出力端子９８はなおも、無線周波数ネットワーク、コンピュータデータネットワーク、Ｗｉ−Ｆｉデータネットワーク、携帯電話データネットワーク、衛星データネットワーク、又は任意の他の既知の通信ネットワークを使用して通信するように構成され得る。
【００３５】
制御及び通信システム９４のユーザ、例えば、オペレータ、スーパーバイザー、又は他の関与する人などは、入出力端子９８を使用して、コントローラ９６にアクセスすることができる。幾つかの実施形態では、入出力端子９８によって、キーボード、マウス、ダイアル、ボタン、タッチスクリーン、マイクロフォン又は他の既知の入力デバイスを介して、命令および他の指示が入力可能になる。更に、制御及び通信システム９４並びにコントローラ９６によって生成されるデータ及び他の情報は、モニタ、タッチスクリーン、スピーカ、プリンタ、又はユーザ用の他の既知の出力デバイスを通して入出力端子９８に出力されることになる。幾つかの実施形態では、入出力端子９８は、ワイヤ結合を通してコントローラ９６に通信可能に接続される。代替的には、入出力端子９８は、無線通信ネットワーク、例えば、Ｂｌｕｅｔｏｏｔｈ、近距離無線通信、無線周波数ネットワーク、コンピュータデータネットワーク、Ｗｉ−Ｆｉデータネットワーク、携帯電話データネットワーク、衛星データネットワーク又は任意の他の既知のデータ通信ネットワークなどを通して、コントローラ９６に通信可能に接続される。幾つかの実施形態では、入出力端子９８は、ハンドヘルドモバイルデバイス、例えば、タブレットコンピュータ、スマートフォンデバイス又は他のそのようなモバイルデバイスなどであり、ハンドヘルドモバイルデバイスは、コントローラ９６に無線で接続される。その結果、制御及び通信システム９４の一又は複数のユーザは、コントローラ９６にアクセスすることができ、各ユーザは、コントローラ９６及び／又は表面処理アセンブリ６０から遠隔に位置している異なるハンドヘルド入出力端子９８を有している。そのような構成より、胴体２４の輪郭形成された表面４８の処理中に、制御及び通信システム９４をモニタリングし操作する際のフレキシビリティが可能になるだろう。
【００３６】
幾つかの実施形態では、制御及び通信システム９４のコントローラ９６は、ユーザが表面処理アセンブリ６０を管理及び制御できるようにする制御機構及び／又はソフトウェアを実行可能な一又は複数のコンピューティングデバイスから成る。コントローラ９６の一又は複数のコンピューティングデバイスは、作業エリア５０内で表面処理アセンブリ６０を移動させるために、ガントリ６２、表面処理ＡＧＶ６４、又は他の移動デバイスの移動を制御するようにプログラムされる。更に、コントローラ９６の一又は複数のコンピューティングデバイスは、表面処理アセンブリ６０の作動及び調節を制御し、輪郭形成された表面４８で表面処理層９２の適用を制御するようにプログラムされる。制御及び通信システム９４の１つの例示的適用では、ユーザは、コントローラ９６及び入出力端子９８を使用することができ、表面処理アセンブリ６０が輪郭形成された表面４８に沿って表面処理層９２を適用する間に従うためのパターン又はプロセスをプログラムする。更に、通信ネットワークを使用した、コントローラ９６、入出力端子９８、及び表面処理アセンブリ６０の通信可能な接続は、双方向の通信を可能にし、よって、コントローラ９６によって送信された命令が、表面処理アセンブリ６０によって受信され、表面処理アセンブリ６０によって収集されたデータは、コントローラ９６に送信され、コントローラ９６によって受信される。
【００３７】
実施形態において、少なくとも１つの表面処理アセンブリセンサ９０は、表面処理アセンブリ６０内に組み込まれ、コントローラ９６及び入出力端子９８に通信可能に接続される。加えて又は代替的に、複数の表面処理センサ９０は、表面処理アセンブリ６０の様々な位置に装着される。表面処理アセンブリセンサ９０によって収集されたデータは、コントローラ９６に送信され、コントローラ９６によって利用される。更に、コントローラ９６は、複数のセンサ９０によって収集されたデータからの情報を蓄積、分析及び抽出し、抽出した情報を使用して表面処理アセンブリ６０を制御及び調節するようにプログラムされる。例えば、少なくとも１つの表面処理アセンブリセンサ９０は、センサ、例えば限定されないが、視覚センサ（即ち、カメラ）、レーザスキャニングトポグラフィー及び表面高さ感知センサ（即ち、ＬＩＤＡＲ）、並びに他のそのような表面メトロロジーセンサなどを含む。
【００３８】
更に、少なくとも１つの表面処理センサ９０及びコントローラ９６は、動作可能に連結され、したがって、それらは、一緒に動作することが可能になり、胴体２４の半径の変化を検出し、輪郭形成された表面４８の画像データ及び視覚データを収集し、輪郭形成された表面４８のトポグラフィカルなマップを提供し、表面処理アセンブリ６０の位置データ及びロケーションデータを提供し、少なくとも１つの表面処理アセンブリセンサ９０によって収集された任意の他の表面データを提供する。収集されたデータは、次いで少なくとも１つの表面処理アセンブリセンサ９０によって送信され、コントローラ９６によって受信され、コントローラ９６の制御機構及び／又はソフトウェアは、そのデータを利用して、表面処理アセンブリ６０の制御及び動作に対する調節を行うことが可能になる。加えて、ユーザは、入出力端子９８において少なくとも１つの表面処理アセンブリセンサ９０によって収集されたデータを見ることができ、必要であれば、コントローラ９６から表面処理アセンブリ６０まで送信された制御命令に対して調節を行うことができる。幾つかの実施形態では、制御及び通信システム９４は、表面処理アセンブリ６０と制御及び通信システム９４との間で確立した双方向の通信リンクを通して、表面処理アセンブリ６０に対する調節をリアルタイムで行うことができる。
【００３９】
ここで、引き続き図１から図７を参照しつつ、図８を参照すると、輪郭形成された表面を処理する例示的な表面処理方法又はプロセス１００を示すフローチャートが示されている。輪郭形成された表面処理プロセス１００の第１のブロック１０２では、飛行機の胴体２４などの輪郭形成された表面４８を有する構造が、表面処理に対して調整され、作業エリア５０内に位置付けられる。１つの非限定的例では、表面調整は、輪郭形成された表面４８における任意の保護コーティング又は以前に適用されたコーティングの除去、処理対象ではない輪郭形成された表面４８の幾つかのエリアのマスキング、輪郭形成された表面４８の研磨、洗浄及び乾燥、並びに輪郭形成された表面４８の処理前に必要な任意の他の表面調整を含む。更に、輪郭形成された表面処理プロセス１００の開始前に、輪郭形成された表面４８を含む構造（即ち、胴体２４）は、作業エリア５０内の処理位置に移動される。１つの非限定的例では、胴体２４は、一又は複数のＡＧＶ５２によって作業エリア内に転置され、ノーズ支持構造５４、中心支持構造５６、又は他の支持構造まで運ばれる。表面処理中に、胴体２４は、ノーズ支持構造５４、中心支持構造５６、一又は複数のＡＧＶ５２、及び必要とされる任意の他の支持構造によって支持される。
【００４０】
輪郭形成された表面処理プロセス１００の次のブロック１０４では、構造処理アセンブリ６０は、作業エリア５０内に位置付けられ、胴体２４の輪郭形成された表面４８に沿って調節及び位置合わせされる。１つの非限定的例において、表面処理アセンブリ６０の調節及び位置合わせ中に、少なくとも１つの表面処理アセンブリセンサ９０は、輪郭形成された表面４８の表面トポグラフィーデータを走査及び収集するように構成される。表面トポグラフィーデータは、次いで、制御及び通信システム９４のコントローラ９６に送信され、制御及び通信システム９４のコントローラ９６によって受信され、アプリケータヘッドアレイ７４及び複数の表面処理アプリケータヘッド６８の命令及び制御パラメータを調節し、表面処理層９２の均一の適用を保証するために用いられる。幾つかの実施形態では、表面処理層９２は、複数の保護材料及び調整材料、並びにコーティング、例えば限定されないが、表面保護コーティング、接着促進コーティング、下塗り材コーティング、ベースコートコーティング、ゾルゲルコーティング、最上層コーティング、装飾塗装コーティング、クリアコーティング、及び／又は他の保護コーティング及び／又は調整コーティングなどのうちの少なくとも１つである。
【００４１】
次のブロック１０６によれば、表面処理層９２の適用前に、表面処理アセンブリ６０が輪郭形成された表面４８に対して正しく調節及び位置合わせされていることを確認するために、調節チェックが行われる。幾つかの実施形態では、調節チェックは、輪郭形成された表面４８とアプリケータヘッドアレイ７４の各表面処理アプリケータヘッド６８との間の適切に分散した間隙を確認することを含む。加えて、調節チェックは、各表面処理アプリケータヘッド６８が、輪郭形成された表面４８に対して垂直な配向又は直交する配向にあることを確認する。輪郭形成された表面４８に対する表面処理アセンブリ６０の適切な調節及び位置合わせが上手くいかないと、表面処理層９２の不均一な適用、又は他の欠陥が生じることになるだろう。したがって、検査がコントローラ９６に入力される一組の所定の調節基準を損なう場合、次に表面処理アセンブリ６０は、任意の調節エラーを訂正するために、アプリケータヘッドアレイ７４の複数の表面処理アプリケータヘッド６８の調節を続ける。幾つかの実施形態では、表面処理アセンブリのオペレータ又は他のユーザには、調節エラーが通知され、表面処理アセンブリ６０の必要な調節及び位置合わせを行うよう指示されることになる。
【００４２】
表面処理アセンブリ６０がいったん適切に調節及び位置合わせされると、次のブロック１０８において、表面処理アセンブリ６０は、表面処理層９２の適用を開始する。幾つかの実施形態では、表面処理アセンブリ６０は、ビークル２０の尾部２８で表面処理層９２の適用を開始し、胴体２４のノーズ部分４６に向かって移動する。表面処理アセンブリ６０が胴体２４に沿って移動する際に、アプリケータヘッドアレイ７４の複数の表面処理アプリケータヘッド６８は、複数の保護コーティング及び調整コーティング、例えば限定されないが、表面保護コーティング、接着促進コーティング、下塗り材コーティング、ベースコートコーティング、ゾルゲルコーティング、最上層コーティング、装飾塗装コーティング、クリアコーティング、及び／又は他の保護コーティング及び／又は調整コーティングなどのうちの１つを分散させる。代替的には、表面処理アセンブリ６０は、尾部２８とノーズ部分４６との間の中間的な場所で表面処理層の適用を開始し、表面処理アセンブリ６０は、指示された表面処理層９２を分散させる。
【００４３】
次のブロック１１０において、表面処理アセンブリ６０が輪郭形成された表面４８に沿って移動する際に、少なくとも１つの表面処理アセンブリセンサ９０は、輪郭形成された表面４８のトポグラフィーデータを走査及び収集し続ける。幾つかの実施形態では、少なくとも１つの表面処理アセンブリセンサ９０によって収集されたデータは、コントローラ９６によって利用され、表面処理層９２を分散させる際に表面処理アセンブリ６０をリアルタイムで調節する。例えば、アプリケータヘッドアレイ７４の各表面処理アプリケータヘッド６８は、輪郭形成された表面４８に垂直又は直交する配向を維持するように継続的に調節される。更に、コントローラ９６は、表面処理アセンブリ６０が胴体２４の輪郭形成された表面４８に沿って移動し続ける際に、少なくとも１つの表面処理アセンブリセンサ９０によって収集される表面トポグラフィーデータを分析し続ける。
【００４４】
その結果、次のブロック１１２において、コントローラ９６を含む、制御及び通信システム９４は、各表面処理アプリケータヘッド６８が適切に調節、位置合わせ及び配向されていることを確認するために、調節チェックを継続的に実行することになる。幾つかの実施形態では、表面処理アプリケータヘッド６８の一又は複数の調節、位置合わせ及び／又は配向がずれている場合には、次に表面処理アセンブリ６０が、これらの表面処理アプリケータヘッド６８を再調節することになる。次のブロック１１４では、アプリケータヘッドアレイ７４の位置合わせがずれていることが決定した場合、次に、表面処理アセンブリ６０は、再調節を実行するために、胴体２４の輪郭形成された表面４８に沿った移動を停止する。幾つかの実施形態では、輪郭形成された表面を処理する方法１００は、アプリケータヘッドアレイ７４の再調節のためのブロック１１２に戻る。代替的実施形態では、表面処理アセンブリ６０は、表面処理アセンブリ６０の再調節及び再位置合わせを実行するために、より遅いペースで輪郭形成された表面４８に沿って移動する。
【００４５】
表面処理アセンブリ６０が継続的な調節、位置合わせ及び配向のチェックをパスすると仮定すれば、次のブロック１１６において、表面処理アセンブリ６０は、輪郭形成された表面４８に沿って移動する際に、表面処理層９２の分散を継続することになる。次のブロック１１８では、表面処理アセンブリ６０がノーズ部分４６、又は胴体２４に沿った他の予め決定された停止地点に到達すると、コントローラ９６は、別の表面コーティングが必要であるかの決定を行う。別のコーティングが必要な場合、次に、１つの非限定的例では、輪郭形成された表面処理の方法１００はブロック１０４に戻り、表面処理アセンブリ６０が、指示された開始位置（即ち、ノーズ部分４６、尾部２８、又は代替的な予め決定された開始地点）に位置付けられ、胴体２４の輪郭形成された表面４８に沿って次のコーティングを分散させるための調整が行われる。幾つかの実施形態では、同一の表面処理アセンブリ６０は、表面処理層９２の後続のコーティング又は層を適用するために使用され、適用プロセスは、表面処理層９２を含むコーティング又は層の全てが輪郭形成された表面４８に適用されるまで繰り返される。代替的には、他の実施形態において、後続の層は、一又は複数の追加的方面処理アセンブリ６０、又は他の表面処理機器を使用して、輪郭形成された表面４８に適用される。表面処理層９２を形成する所望のコーティング又は層のすべてがいったん適用されると、表面処理プロセスは完了し、胴体２４は、次の製造ステップ又は点検ステップに移動する。
【００４６】
前述の詳細な説明はある特定の実施形態に関して与えられ提供されているが、本開示の範囲はそのような実施形態に限定されるべきではなく、有効化及びベストモードのためだけに提供されることを理解すべきである。本開示の範囲及び主旨は、具体的に開示され添付の特許請求の範囲に包含される実施形態よりも広い。更に、幾つかの特徴がある特定の実施形態と併せて記載されているが、これらの特徴は、それらが記載されている実施形態のみによる使用に限定されるのではなく、その代わりに代替的な実施形態と併せて開示される他の特徴と共に又はそれらと分離して使用されてもよい。
【図１】
2018086644.tif 000003
【図２】
2018086644.tif 000004
【図３】
2018086644.tif 000005
【図４】
2018086644.tif 000006
【図５】
2018086644.tif 000007
【図６】
2018086644.tif 000008
【図７】
2018086644.tif 000009
【図８】
2018086644.tif 000010
【外国語明細書】
2018086644000001.pdf
2018086644000002.pdf
2018086644000003.pdf
2018086644000004.pdf